(57)【特許請求の範囲】
【請求項１】
駆動装置、転向歯車機構、携帯電話のカメラを伸ばしたり又は引っ込めたりするように連動させるための接続機構、制御モジュール及びケースを備える携帯電話のカメラの伸縮装置であって、
前記駆動装置、前記転向歯車機構、前記接続機構及び前記制御モジュールの何れも前記ケース内に設けられ、前記制御モジュールは、前記駆動装置に電気的に接続され、前記駆動装置を正回転又は逆回転するように制御することができ、
前記転向歯車機構は、前記駆動装置により回転するように駆動される親歯車、及び前記親歯車と同軸で回転するように前記親歯車に設けられる子歯車を含み、且つ前記ケースに枢設されて回転する第１の伝動歯車と、前記子歯車に噛み合うように遊星ブラケットに枢設される第１の遊星歯車と、前記子歯車に噛み合うように前記遊星ブラケットに枢設される第２の遊星歯車と、回転軸を介して前記子歯車に枢設される遊星ブラケットと、を含み、
前記接続機構は、前記第１の遊星歯車又は前記第２の遊星歯車に噛み合い且つ前記ケース内に枢設されて回転する第２の伝動歯車と、前記ケース内に可動するように接続され、前記第２の伝動歯車に噛み合う場合に、固定される前記携帯電話のカメラを前記ケースに対して伸ばす又は引っ込める歯ざお部材と、を含み、前記第１の遊星歯車は、前記駆動装置が前記親歯車を正回転するように駆動する場合、前記第２の伝動歯車に接触して、前記歯ざお部材が前記携帯電話のカメラを前記ケースに対して伸ばすように噛み合って伝動し、前記第２の遊星歯車は、前記駆動装置が前記親歯車を逆回転するように駆動する場合、前記第２の伝動歯車に接触して、前記歯ざお部材が前記携帯電話のカメラを前記ケースに対して引っ込めるように噛み合って伝動することを特徴とする携帯電話のカメラの伸縮装置。
【請求項２】
前記遊星ブラケットは、三角形のものであり、前記第１の遊星歯車及び前記第２の遊星歯車は、それぞれ前記三角形の遊星ブラケットにおける２つの対角に枢設され、その何れの直径も前記子歯車と前記第２の伝動歯車との隙間より大きいことを特徴とする請求項１に記載の携帯電話のカメラの伸縮装置。
【請求項３】
前記転向歯車機構は、前記第１の遊星歯車及び前記第２の遊星歯車の何れもが前記第２の伝動歯車と接触しない状態にするように、前記遊星ブラケットの位置を限定することに用いられ、一端が前記遊星ブラケットに接続され、他端が前記ケースに接続されるねじりばね部材を更に含むことを特徴とする請求項１に記載の携帯電話のカメラの伸縮装置。
【請求項４】
前記第２の伝動歯車は、前記第１の遊星歯車又は前記第２の遊星歯車に噛み合って接続される第１の子歯車と、前記第１の子歯車と同軸で回転するように前記第１の子歯車に設けられ、前記歯ざお部材に噛み合って接続される第２の子歯車と、を含むことを特徴とする請求項１に記載の携帯電話のカメラの伸縮装置。
【請求項５】
前記歯ざお部材は、前記第２の子歯車に噛み合って接続され、前記携帯電話のカメラを固定するための固定部が設けられる歯ざお本体を含むことを特徴とする請求項４に記載の携帯電話のカメラの伸縮装置。
【請求項６】
前記接続機構は、前記ケース内に並列して設けられ、何れも前記歯ざお部材に当接するように前記ケースに枢設される複数のガイド部材を更に含むことを特徴とする請求項１〜５の何れか１項に記載の携帯電話のカメラの伸縮装置。
【請求項７】
前記駆動装置は、モータと、前記モータの主軸に接続されるウォームと、前記ウォームに噛み合って伝動し、また前記親歯車に噛み合って伝動する第３の伝動歯車と、を含むことを特徴とする請求項１〜５の何れか１項に記載の携帯電話のカメラの伸縮装置。
【請求項８】
前記第３の伝動歯車は、前記ウォームに噛み合って伝動する第１の子歯車と、前記第１の子歯車と同軸で回転するように前記第１の子歯車に設けられ、前記親歯車に噛み合って伝動する第２の子歯車と、を含むことを特徴とする請求項７に記載の携帯電話のカメラの伸縮装置。
【請求項９】
前記第１の子歯車は、傾斜歯車であることを特徴とする請求項８に記載の携帯電話のカメラの伸縮装置。
【請求項１０】
前記携帯電話は、請求項１〜９の何れか１項に記載の携帯電話のカメラの伸縮装置を含むことを特徴とする携帯電話。
【発明の詳細な説明】
【技術分野】
【０００１】
本発明は電子設備の技術分野に関し、特に携帯電話のカメラの伸縮装置及び携帯電話に関する。
【背景技術】
【０００２】
カメラの機能は、現在、携帯電話が発展していく上で注目される点である。携帯電話の軽量化と薄型及びスクリーン対ボディ比が向上するほど、携帯電話のカメラのために残す幅や厚さのスペースも小さくなるが、一方、カメラ・ビデオ機能の強化により、携帯電話のカメラのサイズを更に縮小することができなくなっている。特に、全画面表示の携帯電話の登場により、幅からいえば携帯電話のカメラを取り付けるスペースは全くなく、携帯電話のカメラをスクリーンモジュールの裏面に隠す必要がある。カメラの機能を使用する時、携帯電話のカメラを伸ばして、カメラがスクリーンの遮蔽部を超えると写真を撮ることができるが、使用しない時、携帯電話のカメラを戻す。従来の携帯電話では、カメラの伸縮装置として主に手動による駆動の方式を採用するため、自動的に伸縮することを実現できない。
【発明の概要】
【発明が解決しようとする課題】
【０００３】
本発明の実施例は、携帯電話のカメラの伸縮装置及び携帯電話を提供することを目的とし、従来技術における携帯電話のカメラが自動的に伸縮できないという技術問題を解決することを目的とする。
【０００４】
一方、携帯電話を提供し、従来技術における携帯電話で写真を撮る時、カメラが自動的に伸縮できないという技術問題を解決することを目的とする。
【課題を解決するための手段】
【０００５】
本発明は、駆動装置、転向歯車機構、携帯電話のカメラを伸ばしたり又は引っ込めたりするように連動させるための接続機構、制御モジュール及びケースを備える携帯電話のカメラの伸縮装置であって、
前記駆動装置、前記転向歯車機構、前記接続機構及び前記制御モジュールの何れも前記ケース内に設けられ、前記制御モジュールは、前記駆動装置に電気的に接続され、前記駆動装置を正回転又は逆回転するように制御することができ、
前記転向歯車機構は、前記駆動装置により回転するように駆動される親歯車、及び前記親歯車と同軸で回転するように前記親歯車に設けられる子歯車を含み、且つ前記ケースに枢設されて回転する第１の伝動歯車と、前記子歯車に噛み合うように遊星ブラケットに枢設される第１の遊星歯車と、前記子歯車に噛み合うように前記遊星ブラケットに枢設される第２の遊星歯車と、回転軸を介して前記子歯車に枢設される遊星ブラケットと、を含み、
前記接続機構は、前記第１の遊星歯車又は前記第２の遊星歯車に噛み合い且つ前記ケース内に枢設されて回転する第２の伝動歯車と、前記ケース内に可動するように接続され、前記第２の伝動歯車に噛み合う場合に前記ケースに対して伸ばす又は収縮し、携帯電話のカメラを固定するための歯ざお部材と、を含み、前記第１の遊星歯車は、前記駆動装置が前記親歯車を正回転するように駆動する場合、前記第２の伝動歯車に接触して、前記歯ざお部材が前記ケースに対して伸ばすように噛み合って伝動し、前記第２の遊星歯車は、前記駆動装置が前記親歯車を逆回転するように駆動する場合、前記第２の伝動歯車に接触して、前記歯ざお部材が前記ケースに対して引っ込めるように噛み合って伝動する携帯電話のカメラの伸縮装置を提供する。
【０００６】
一方、前記携帯電話のカメラの伸縮装置を備える携帯電話を提供する。
【発明の効果】
【０００７】
従来技術と比べ、本発明の実施例の提供する携帯電話のカメラの伸縮装置には、制御モジュールによってモータを制御して歯車伝動機構を駆動するようにし、２つの遊星歯車がそれぞれ時計回り・逆時計回りに伝動力を出力し、最後に歯ざおで携帯電話のカメラを直線に移動するように駆動させ、携帯電話のカメラを自動的に伸縮し、且つ伸縮速度を均一にする目的を達成させるという効果がある。
【０００８】
本発明の実施例の提供する携帯電話には、前記携帯電話のカメラの伸縮装置を採用するので、自動的に伸縮させ、携帯電話のカメラ・ビデオ機能を高め、携帯電話のカメラ機能をより実用的にするという効果がある。
【０００９】
本発明の実施例の技術的解決手段をより明らかにするために、以下、本発明又は従来技術の説明のための図面をより詳細に説明する。下記の図面は本発明を解釈するためのものに過ぎず、当業者であれば、創造的な工夫をせずに、これらの図面に基づいて他の図面を取得することもできることを理解すべきである。
【図面の簡単な説明】
【００１０】
【図１】本発明の実施例の提供する携帯電話のカメラの伸縮装置を示す構造概略図である。
【図２】本発明の実施例の提供する携帯電話のカメラの伸縮装置の転向歯車構造を示す構造概略図である。
【発明を実施するための形態】
【００１１】
本発明の目的、技術的解決手段及び利点をより明らかにするために、以下、図面及び実施例に合わせて本発明をより詳細に説明する。ここで説明される具体的な実施例は本発明を解釈するためのものに過ぎず、本発明を限定するためのものではないことを理解すべきである。
【００１２】
説明すべきなのは、ある素子が別の素子「に固定される」又は「に設けられる」といわれる場合、直接に別の素子にされてもよいし又は間接に別の素子にされてもよい。ある素子が別の素子「に接続される」といわれる場合、直接に別の素子に接続されてもよいし又は間接に別の素子に接続されてもよい。
【００１３】
理解すべきなのは、「長さ」、「幅」、「上」、「下」、「前」、「後」、「左」、「右」、「垂直」、「水平」、「頂上」、「底」「内」、「外」等の方位や位置関係を示す用語は、図面に示す方位や位置関係に基づいたものであり、本発明を説明し及び説明を簡単化するためのものだけであり、この装置又は素子が必ず特定な方位を有し、特定な方位で構成及び操作されなければならないことを指示又は示唆するものではなく、本発明に対する制限として理解されるべきでもない。
【００１４】
また、「第１の」、「第２の」という用語は、目的を説明するためのものだけであり、相対重要性を指示又は示唆し、或いは指示する技術的特徴の数を示唆するものとして理解されない。これにより、「第１の」、「第２の」の限定された特徴は、１つ或いは複数の前記特徴を明確に或いは隠れて含んでよい。本発明の説明において、「複数」とは、特に明確に具体的に限定しない限り、２つ又は２つ以上を意図する。
【００１５】
図１及び図２を合わせて参照されたい。以下、本発明の実施例の提供する携帯電話のカメラの伸縮装置１００を説明する。携帯電話のカメラの伸縮装置１００は、駆動装置１、転向歯車機構２、携帯電話のカメラを伸ばしたり又は引っ込めたりするように連動させるための接続機構３、制御モジュール及びケース４を備える。駆動装置１、転向歯車機構２、接続機構３及び制御モジュールの何れもケース４内に設けられる。制御モジュールは、駆動装置１に電気的に接続され、駆動装置１を正回転又は逆回転するように制御することができる。転向歯車機構２は、ケース４に枢設されて回転する第１の伝動歯車２１と、第１の遊星歯車２２と、第２の遊星歯車２３と、遊星ブラケット２４と、を含む。第１の伝動歯車２１は、駆動装置１により回転するように駆動される親歯車２１１と、親歯車と同軸で回転するように親歯車２１１に設けられる子歯車２１２と、を含む。遊星ブラケット２４は、回転軸を介して子歯車２１２に枢設される。第１の遊星歯車２２は、子歯車２１２に噛み合うように遊星ブラケット２４に枢設される。第２の遊星歯車２３は、子歯車２１２に噛み合うように遊星ブラケット２４に枢設される。接続機構３は、第１の遊星歯車２２に噛み合い又は第２の遊星歯車２３に噛み合う第２の伝動歯車３１と、携帯電話のカメラを固定するための歯ざお部材３２と、を含む。第２の伝動歯車３１は、ケース４内に枢設されて回転する。歯ざお部材３２は、ケース４内に可動するように接続され、第２の伝動歯車３１に噛み合う場合にケース４に対して伸ばし又は収縮する。第１の遊星歯車２２は、駆動装置１が親歯車２１１を正回転するように駆動する場合、第２の伝動歯車３１に接触して、歯ざお部材３２がケース４に対して伸びるように噛み合って伝動する。第２の遊星歯車２３は、駆動装置１が親歯車２１１を逆回転するように駆動する場合、第２の伝動歯車３１に接触して、歯ざお部材３２がケース４に対して引っ込むように噛み合って伝動する。
【００１６】
本発明の実施例が提供する携帯電話のカメラの伸縮装置１００は、制御モジュールによって駆動装置１を正方向に回転するように制御する場合、駆動装置１が親歯車２１１を正方向に回転するように連動させる。更に第１の遊星歯車２２が親歯車２１１と同軸で回転する子歯車２１２に噛み合って回転し、この場合、第１の遊星歯車２２が第２の伝動歯車３１に接触するまで子歯車２１２の中軸線周りに回転し、第１の遊星歯車２２が第２の伝動歯車３１に噛み合って伝動する。これにより、第２の伝動歯車３１がその中軸線周りにケース４に対して周方向に回転して、歯ざお部材３２に噛み合って伝動し、歯ざお部材３２がケース４に対して直線で上がるように作動する。これにより、歯ざお部材３２に固接される携帯電話のカメラを伸ばすようになる。制御モジュールによって駆動装置１を逆方向に回転するように制御する場合、駆動装置１が親歯車２１１を逆方向に回転するように連動させる。更に第２の遊星歯車２３が親歯車２１１と同軸で回転する子歯車２１２に噛み合って回転し、この場合、第２の遊星歯車２３が第２の伝動歯車３１に接触するまで子歯車２１２の中軸線周りに回転し、第２の遊星歯車２３が第２の伝動歯車３１に噛み合って伝動する。これにより、第２の伝動歯車３１がその中軸線周りにケース４に対して周方向に回転して、歯ざお部材３２に噛み合って伝動し、歯ざお部材３２がケース４に対して直線に降下するように作動する。これにより、歯ざお部材３２に固接される携帯電話のカメラが伸ばして引っ込めるようになる。過程全体は、制御モジュールによって自動的制御を達成させ、携帯電話のカメラを自動的に伸ばしたり或いは引っ込めたりするのを安定して迅速に行え、操作しやすく、実用的である。
【００１７】
更に、図１及び図２を参照されたい。本実施例において、遊星ブラケット２４は、三角形の遊星ブラケットである。第１の遊星歯車２２と第２の遊星歯車２３が、それぞれ三角形の遊星ブラケットにおける２つの対角に枢設される。第１の遊星歯車２２が第２の伝動歯車３１に噛み合って伝動する場合、第２の遊星歯車２３が子歯車２１２との噛み合いから逸脱し、この場合、歯ざお部材３２がケース４に対して直線に降下するように作動する。または、第２の遊星歯車２３が第２の伝動歯車３１に噛み合って伝動する場合、第１の遊星歯車２２が子歯車２１２との噛み合いから逸脱し、この場合、歯ざお部材３２がケース４に対して直線に降下するように作動する。第１の遊星歯車２２と第２の遊星歯車２３との何れの直径も、子歯車２１２と第２の伝動歯車３１との隙間より大きいので、第１の遊星歯車２２或いは第２の遊星歯車２３は、第２の伝動歯車３１に噛み合って伝動する場合、公転作動をせず、自転作動しかしない。これにより、第２の伝動歯車３１を駆動するように動力をより安定して等速に伝達して、携帯電話のカメラを歯ざお部材３２によって安定して伸ばしたる或いは引っ込めたりすることができる。
【００１８】
更に、図１及び図２を参照されたい。本実施例において、転向歯車機構２は、第１の遊星歯車２２及び第２の遊星歯車２３の何れもが第２の伝動歯車３１と接触しない状態にするように、遊星ブラケット２４の位置を限定するためのねじりばね部材２５を更に含む。ねじりばね部材２５は、一端が遊星ブラケット２４に接続され、他端がケース４に接続される。遊星ブラケット２４が第１の遊星歯車２２或いは第２の遊星歯車２３につれて回転した後、ねじりばね部材２５は張力を持つようになる。動作を中止した後で、ねじりばね部材２５の張力の作用で、遊星ブラケット２４を元の位置に戻し、第１の遊星歯車２２或いは第２の遊星歯車２３も元の位置に戻し、第１の遊星歯車２２及び第２の遊星歯車２３が非動作の状態で第２の伝動歯車３１から離れる状態となるように保証され、携帯電話のカメラが伸ばされる状態で、携帯電話のカメラを元の位置に戻すように手動で押すことができる。
【００１９】
更に、図１及び図２を参照されたい。本実施例において、第２の伝動歯車３１は、第１の子歯車３１１と、第１の子歯車３１１と同軸で回転するように第１の子歯車３１１に設けられる第２の子歯車３１２と、を含む。第１の子歯車３１１は、第１の遊星２２歯車又は第２の遊星２３歯車に噛み合って接続される。第２の子歯車３１２は、歯ざお部材３２に噛み合って接続される。第１の遊星歯車２２及び第２の遊星歯車２３の直径は、第１の子歯車３１１の直径より小さい。第１の子歯車３１１に噛み合って伝動する場合、第１の子歯車３１１の回転速度を低下させ、歯ざお部材３２による携帯電話のカメラの伝動速度を低下させ、携帯電話のカメラを安定的に伸ばしたり或いは引っ込めたりする。
【００２０】
更に、図１及び図２を参照されたい。本実施例において、歯ざお部材３２は、第２の子歯車３１２に噛み合って接続される歯ざお本体３２１を含む。歯ざお本体３２１に、携帯電話のカメラを固定するための固定部３２２が設けられる。歯ざお本体３２１は、第２の子歯車３１２に噛み合って接続される。同時に、固定部３２２は、携帯電話のカメラを固接して携帯電話のカメラを伸ばし或いは引っ込めるように連動させる。固定部３２２が携帯電話のカメラを固接するように歯ざお部材３２に設けられることで、歯ざお部材３２と携帯電話のカメラとの接続強度を高め、携帯電話のカメラの伸ばし動作或いは引っ込み動作の順調な実行が保証される。
【００２１】
更に、図１及び図２を参照されたい。本実施例において、接続機構３は、ケース４内に並列して設けられる複数のガイド部材３３を更に含む。各ガイド部材３３の何れも、歯ざお部材３２に当接するようにケース４に枢設される。歯ざお部材３２は、直線運動をするように第２の伝動歯車３１により駆動される。歯ざお部材３２が携帯電話のカメラを伸ばしたり或いは引っ込めたりするように正確に連動させるように、ガイド部材３３を設けて、ケースとの摩擦やぶつかりを抑制する。また、歯ざお部材３２がストリップ状であるので、作動時に一定の曲げモーメントが発生し、携帯電話のカメラを伸ばしたり或いは引っ込めたりするように連動させる場合にも一定の誤差が発生することがある。このガイド部材３３は、支持するために設けられ、携帯電話のカメラが正確に移動することを保証する。
【００２２】
更に、図１及び図２を参照されたい。本実施例において、駆動装置１は、モータ１１と、モータ１１の主軸に接続されるウォーム１２と、ウォームに噛み合って伝動する第３の伝動歯車１３と、を含む。第３の伝動歯車１３は、親歯車２１１に噛み合って伝動し、モータ１１を動力源とする。モータ１１の主軸にウォーム１２が接続される。ウォーム１２は、大トルクの伝達を達成させることができ、且つ伝達が安定で、構造がコンパクトである。第３の伝動歯車１３によって動力を親歯車２１１に伝達することで、回転速度を低下させ、伝動過程をより安定にし、伝動をより正確にする。
【００２３】
更に、図１及び図２を参照されたい。本実施例において、第３の伝動歯車１３は、第１の子歯車１３１と、第１の子歯車１３１と同軸で回転するように第１の子歯車１３１に設けられる第２の子歯車１３２と、を含む。第１の子歯車１３１がウォーム１２に噛み合って伝動し、第２の子歯車１３２が親歯車２１１に噛み合って伝動する。第１の子歯車１３１の歯車の直径は、第２の子歯車１３２の歯車の直径よりも大きい。第２の子歯車１３２が親歯車２１１に噛み合って接続され、親歯車２１１の歯車直径が第２の子歯車１３２の歯車直径よりも大きいので、親歯車２１１の伝動速度を低下させ、更に、後の伝動機構を安定的に伝動させ、携帯電話のカメラを安定的に伸ばしたり或いは引っ込めたりすることができる。
【００２４】
更に、図１及び図２を参照されたい。本実施例において、第１の子歯車１３１は、傾斜歯車である。そのため、傾斜歯車の噛み合いの度合いが高く、伝動効率が高く且つ伝動が安定であり、駆動装置１のノイズを効果的に低下させ、携帯電話のカメラの伸縮装置１００の実用性を高めることができる。第２の子歯車３１２として直歯歯車を選択してよい。直歯歯車は、取り付けや手直しが便利であり、且つ取り付け精度が高く、携帯電話のカメラを正確に移動させるという要求を満たすことができる。
【００２５】
図に示されていないが、本発明の実施例は、上記の携帯電話のカメラの伸縮装置１００を備える携帯電話を更に提供する。
【００２６】
本発明の実施例の提供する携帯電話は、上記の携帯電話のカメラの伸縮装置１００を採用するので、カメラの自動的な伸縮機能を達成させ、携帯電話の実用性を高め、携帯電話の知能化の程度をより高くする。
【００２７】
上記は本発明の好ましい実施例に過ぎず、本発明を制限するためのものではなく、当業者であれば、本発明に対して様々な変更や改良を加えることができる。本発明の精神及び原則においてなされたあらゆる変更、等価取替及び改良等は、本発明の保護範囲に含まれるはずである。
【００２８】
（付記）
（付記１)
駆動装置、転向歯車機構、携帯電話のカメラを伸ばしたり又は引っ込めたりするように連動させるための接続機構、制御モジュール及びケースを備える携帯電話のカメラの伸縮装置であって、
前記駆動装置、前記転向歯車機構、前記接続機構及び前記制御モジュールの何れも前記ケース内に設けられ、前記制御モジュールは、前記駆動装置に電気的に接続され、前記駆動装置を正回転又は逆回転するように制御することができ、
前記転向歯車機構は、前記駆動装置により回転するように駆動される親歯車、及び前記親歯車と同軸で回転するように前記親歯車に設けられる子歯車を含み、且つ前記ケースに枢設されて回転する第１の伝動歯車と、前記子歯車に噛み合うように遊星ブラケットに枢設される第１の遊星歯車と、前記子歯車に噛み合うように前記遊星ブラケットに枢設される第２の遊星歯車と、回転軸を介して前記子歯車に枢設される遊星ブラケットと、を含み、
前記接続機構は、前記第１の遊星歯車又は前記第２の遊星歯車に噛み合い且つ前記ケース内に枢設されて回転する第２の伝動歯車と、前記ケース内に可動するように接続され、前記第２の伝動歯車に噛み合う場合に前記ケースに対して伸ばす又は収縮し、携帯電話のカメラを固定するための歯ざお部材と、を含み、前記第１の遊星歯車は、前記駆動装置が前記親歯車を正回転するように駆動する場合、前記第２の伝動歯車に接触して、前記歯ざお部材が前記ケースに対して伸ばすように噛み合って伝動し、前記第２の遊星歯車は、前記駆動装置が前記親歯車を逆回転するように駆動する場合、前記第２の伝動歯車に接触して、前記歯ざお部材が前記ケースに対して引っ込めるように噛み合って伝動することを特徴とする携帯電話のカメラの伸縮装置。
【００２９】
（付記２)
前記遊星ブラケットは、三角形のものであり、前記第１の遊星歯車及び前記第２の遊星歯車は、それぞれ前記三角形の遊星ブラケットにおける２つの対角に枢設され、その何れの直径も前記子歯車と前記第２の伝動歯車との隙間より大きいことを特徴とする付記１に記載の携帯電話のカメラの伸縮装置。
【００３０】
（付記３)
前記転向歯車機構は、前記第１の遊星歯車及び前記第２の遊星歯車の何れもが前記第２の伝動歯車と接触しない状態にするように、前記遊星ブラケットの位置を限定することに用いられ、一端が前記遊星ブラケットに接続され、他端が前記ケースに接続されるねじりばね部材を更に含むことを特徴とする付記１に記載の携帯電話のカメラの伸縮装置。
【００３１】
（付記４)
前記第２の伝動歯車は、前記第１の遊星歯車又は前記第２の遊星歯車に噛み合って接続される第１の子歯車と、前記第１の子歯車と同軸で回転するように前記第１の子歯車に設けられ、前記歯ざお部材に噛み合って接続される第２の子歯車と、を含むことを特徴とする付記１に記載の携帯電話のカメラの伸縮装置。
【００３２】
（付記５)
前記歯ざお部材は、前記第２の子歯車に噛み合って接続され、前記携帯電話のカメラを固定するための固定部が設けられる歯ざお本体を含むことを特徴とする付記４に記載の携帯電話のカメラの伸縮装置。
【００３３】
（付記６)
前記接続機構は、前記ケース内に並列して設けられ、何れも前記歯ざお部材に当接するように前記ケースに枢設される複数のガイド部材を更に含むことを特徴とする付記１〜５の何れか１つに記載の携帯電話のカメラの伸縮装置。
【００３４】
（付記７)
前記駆動装置は、モータと、前記モータの主軸に接続されるウォームと、前記ウォームに噛み合って伝動し、また前記親歯車に噛み合って伝動する第３の伝動歯車と、を含むことを特徴とする付記１〜５の何れか１つに記載の携帯電話のカメラの伸縮装置。
【００３５】
（付記８)
前記第３の伝動歯車は、前記ウォームに噛み合って伝動する第１の子歯車と、前記第１の子歯車と同軸で回転するように前記第１の子歯車に設けられ、前記親歯車に噛み合って伝動する第２の子歯車と、を含むことを特徴とする付記７に記載の携帯電話のカメラの伸縮装置。
【００３６】
（付記９)
前記第１の子歯車は、傾斜歯車であることを特徴とする付記８に記載の携帯電話のカメラの伸縮装置。
【００３７】
（付記１０)
前記携帯電話は、付記１〜９の何れか１つに記載の携帯電話のカメラの伸縮装置を含むことを特徴とする携帯電話。
【符号の説明】
【００３８】
１００  携帯電話のカメラの伸縮装置
１  駆動装置
１１  モータ
１２  ウォーム
１３  第３の伝動歯車
１３１  第１の子歯車
１３２  第２の子歯車
２  転向歯車機構
２１  第１の伝動歯車
２１１  親歯車
２１２  子歯車
２２  第１の遊星歯車
２３  第２の遊星歯車
２４  遊星ブラケット
２５  ねじりばね部材
３  接続機構
３１  第２の伝動歯車
３１１  第１の子歯車
３１２  第２の子歯車
３２  歯ざお部材
３２１  歯ざお本体
３２２  固定部
３３  ガイド軸
４  ケース
【図１】
0006731072.tif 000002
【図２】
0006731072.tif 000003